(57)【要約】【課題】日々変化する気象現象を検索に反映させて、有用な検索結果を得る。【解決手段】端末装置１から検索情報が入力されると、検索装置３の検索部１１は、ウェブサイトから収集したサイト情報を記憶するデータベースサーバ５を検索して、検索情報に関係するサイト情報を抽出する。分析部１２は、抽出したサイト情報と気象情報との相関を分析し、導出部１３は、サイト情報の気象現象特性を導き出す。最新の気象情報から現在の気象現象を判断し、ソート部１４は、気象現象特性と現在の気象情報に基づいてサイト情報の重み付けを行い、サイト情報の優先順を決める。この検索結果が端末装置１に送信され、検索結果が優先順に表示される。【選択図】  図１
2007122203.tif 000002
【特許請求の範囲】
【請求項１】
検索情報を入力する端末装置と、前記検索情報に基づいてウェブサイトを検索して得られたサイト情報を端末装置に出力する検索装置とがネットワークを通じて通信可能に接続され、検索装置は、気象情報を取得する気象情報取得手段と、前記検索情報に基づいて抽出したサイト情報に対して前記気象情報を関連付けし、最新の気象情報にしたがって優先順を決めるソート手段とを有することを特徴とする情報検索ステム。
【請求項２】
検索情報を入力する端末装置と、前記検索情報に基づいてウェブサイトを検索して得られたサイト情報を端末装置に出力する検索装置とがネットワークを通じて通信可能に接続され、検索装置は、ネットワークを通じて収集したウェブサイトのサイト情報を気象情報に関連付けて記憶する記憶手段と、気象情報を取得する気象情報取得手段と、前記検索情報および気象情報に基づいて記憶手段からサイト情報を抽出して、最新の気象情報に基づいてサイト情報の優先順を決めるソート手段とを有することを特徴とする情報検索ステム。
【請求項３】
検索装置は、端末装置からの送信情報に基づいて端末装置の存在する地域を特定する位置判定手段を有し、前記地域の気象情報を取得することを特徴とする請求項１または２記載の情報検索ステム。
【請求項４】
検索装置は、ウェブサイトのサイト情報と気象現象との相関を分析する分析手段と、分析結果に基づいてサイト情報の気象現象特性を導出する導出手段とを有し、ソート手段は、気象現象特性と最新の気象情報に基づいてサイト情報の重み付けを行って、抽出されたサイト情報の優先順を決定することを特徴とする請求項１〜３のいずれかに記載の情報検索システム。
【請求項５】
ウェブサイトを運営する情報提供装置がネットワークに接続され、情報提供装置は、気象情報に応じて、現在あるいは将来の気象現象に対応するウェブサイトに変更する変更手段を有することを特徴とする請求項１〜４のいずれかに記載の情報検索ステム。
【発明の詳細な説明】
【技術分野】
【０００１】
本発明は、商品等の情報の検索を気象情報に連動して行う情報検索システムに関する。
【背景技術】
【０００２】
ユーザは、パソコンや携帯電話等の端末装置によりインターネットを通じて多様な情報を手に入れることができる。必要な情報を検索するために検索エンジンが利用される。検索エンジンは、入力されたキーワードやフレーズに基づいて、収集したウェブサイトのサイト情報を検索する。そして、キーワードに関係あるサイト情報を抽出して、検索結果をリストにしてユーザの端末装置に出力する。このようにして、検索結果が端末装置に表示される。
【０００３】
ここで、ユーザの要望に沿うような情報を提供できるように、例えば特許文献１では、時間情報に基づいて検索結果に重み付けを行って、優先順を付けることが記載されている。これによって、無用な情報を排除できる。
【特許文献１】特開２００３−２７１６６３号公報
【発明の開示】
【発明が解決しようとする課題】
【０００４】
しかしながら、ユーザの要望する情報は、同じキーワードであっても異なる場合がある。すなわち、天気や季節等の気象現象は日々変化し、これに伴って人間の生体機能が変化して、要望するものが変わる。例えば、秋の雨降る肌寒い天候のときに、「健康補助食品」を検索した場合、夏のときにアクセスの多かった健康食品サイトが上位に表示されるのではなく、クエン酸ベースの健康食品やビタミン、ミネラル系の健康食品が上位に表示されるのが好ましい。
【０００５】
このように、気象現象は消費需要に影響を与える。情報検索も気象現象に応じて変化することにより、検索結果がユーザの求めるものに近づくことになる。
【０００６】
そこで、本発明は、上記に鑑み、日々変化する気象現象を検索に反映させることにより、有用な検索結果が得られる情報検索システムの提供を目的とする。
【課題を解決するための手段】
【０００７】
本発明は、検索情報を入力する端末装置と、前記検索情報に基づいてウェブサイトを検索して得られたサイト情報を端末装置に出力する検索装置とがネットワークを通じて通信可能に接続され、検索装置は、気象情報を取得する気象情報取得手段と、前記検索情報に基づいて抽出したサイト情報に対して前記気象情報を関連付けし、最新の気象情報にしたがって優先順を決めるソート手段とを有するものである。あるいは、検索装置は、ネットワークを通じて収集したウェブサイトのサイト情報を気象情報に関連付けて記憶する記憶手段と、気象情報を取得する気象情報取得手段と、前記検索情報および気象情報に基づいて記憶手段からサイト情報を抽出して、最新の気象情報に基づいてサイト情報の優先順を決めるソート手段とを有するものである。
【０００８】
検索装置は、検索情報に基づいて抽出されたサイト情報に対し、晴れ、雨といった気象現象とどのような関連があるかを解析して、サイト情報と気象情報とを関連付ける。そして、最新の気象情報から気象現象を判断して、この気象現象にしたがった関連性があるサイト情報ほど優先順が上位になるように順位を付けていく。このようにして得られた検索結果が端末装置に出力され、端末装置において、検索されたサイト情報が優先順に表示される。したがって、日々変化する気象現象が検索結果に反映され、気象現象に応じてユーザの要望する情報を優先的に検索できる。
【０００９】
検索装置は、端末装置からの送信情報に基づいて端末装置の存在する地域を特定する位置判定手段を有し、前記地域の気象情報を取得する。これによって、ユーザがいる地域を特定でき、正確な気象現象がわかる。したがって、より精度の高い検索結果が得られる。
【００１０】
検索装置は、ウェブサイトのサイト情報と気象現象との相関を分析する分析手段と、分析結果に基づいてサイト情報の気象現象特性を導出する導出手段とを有し、ソート手段は、気象現象特性と最新の気象情報に基づいてサイト情報の重み付けを行って、抽出されたサイト情報の優先順を決定する。このようにして、サイト情報に対して気象情報が関連付けれる。したがって、サイト情報と気象現象との関連が強いと、高く重みが付けられ、関連が弱いと、軽い重みが付けられる。そして、重みが高いサイト情報は上位に表示され、選択されやすくなる。
【００１１】
ウェブサイトを運営する情報提供装置は、気象情報に応じて、現在あるいは将来の気象現象に対応するウェブサイトに変更する変更手段を有する。検索装置によって、ウェブサイトが検索されたとき、サイト情報の優先順が上位になる。これによって、ユーザに有用な情報を提供することができるとともに、ウェブサイトへの訪問者が増え、広告効果が上がる。
【発明の効果】
【００１２】
本発明によると、気象現象の変化に伴って、ユーザの生活パターンが変化するが、気象現象に関連するサイト情報が優先順が上位になるように、気象現象の変化を反映した検索結果が得られる。ユーザにとっては、変化する気象現象に応じて要望した情報を手に入れることができ、有用な情報検索システムとなる。
【００１３】
また、ウェブサイトの運営者にとっては、変化する気象現象を応じてウェブサイトを作成することにより、検索結果の上位にサイト情報が位置付けられるので、ウェブサイトの利用率が高まって、広告効果を高めることができる。
【発明を実施するための最良の形態】
【００１４】
本実施形態の情報検索システムを図１に示す。本システムは、検索情報を入力する端末装置１と、ウェブサイトを運営する情報提供装置２と、検索情報に基づいてウェブサイトを検索する検索装置３とから構成され、これらがインターネットからなるネットワーク４を通じて互いに通信可能に接続されている。なお、ネットワーク４として、インターネットを利用しているが、ＬＡＮ、ＷＡＮといったイントラネットを利用してもよい。
【００１５】
端末装置１は、パソコン、携帯電話、情報携帯端末等であり、ネットワーク４を通じて他の装置とデータ通信を行う機能を備え、ウェブサイトを閲覧するためのブラウザが搭載されている。入力されたキーワードやフレーズ等の検索情報が、ブラウザによって検索装置３に送信される。
【００１６】
情報提供装置２は、商品やサービス（以下、商品と総称する）に関する情報等の各種情報を含んだウェブサイトをネットワーク４上に公開するサーバであり、随時ウェブサイトを更新したり、メンテナンスしたりして運営している。
【００１７】
検索装置３は、通常の検索エンジンを構成するサーバであり、ウェブサイトから収集したサイト情報を記憶するデータベースサーバ５が接続される。サイト情報は、ウェブサイトのＵＲＬ、ウェブサイトに含まれる情報から抽出したキーワード、更新日、データ容量等である。データベースサーバ５は、定期的にネットワーク４を通じて世界中のウェブサイトからサイト情報を収集する。
【００１８】
そして、検索装置３は、リアルタイムに変化する気象現象に連動した情報の検索を行う。すなわち、検索装置３は、気象情報サーバ６から気象情報を取得する気象情報取得部１０と、端末装置１から入力された検索情報に基づいてデータベースサーバ５内のサイト情報を検索する検索部１１と、抽出されたサイト情報と気象現象との相関を分析する分析部１２と、分析結果に基づいてサイト情報の気象現象特性を導き出す導出部１３と、気象現象特性と最新の気象情報とに基づいてサイト情報の重み付けを行って、サイト情報の優先順を決めるソート部１４とを有する。そして、検索装置３は、気象現象に連動した優先順が付けられた検索結果を端末装置１に送信し、端末装置１は、検索されたサイト情報を優先順に表示する。なお、気象情報とは、気温、気圧、降水量、風量、日照時間、降雪量、紫外線量、天気予報等である。気象現象とは、晴れ、曇り、雨、雪、霧、台風、地震、寒暑、乾湿等である。
【００１９】
気象情報取得部１０は、気象庁等の気象情報サーバ６に接続して、過去の気象情報および最新の気象情報を取得する。分析部１２は、サイト情報と気象現象との相関を調べる。導出部１３は、サイト情報が各種の気象現象のときに需要動向がどのような傾向になるかといった気象現象特性を判断する。ソート部１４は、最新の気象情報から現在あるいは未来の気象現象を判断して、この気象現象に対して気象現象特性がマッチするサイト情報ほど優先順が上位になるように高い重みを付け、気象現象とは関係のないサイト情報には軽い重みを付け、検索されたサイト情報を順位付けしていく。
【００２０】
このとき、気象現象は地域によって異なるので、検索装置３は、端末装置１の位置を判定する。端末装置１が検索装置３にアクセスしたとき、検索装置３は、端末装置１の送信情報を受信する。送信情報には、端末装置１のＩＰアドレスが含まれているので、これに基づいて端末装置１の存在する地域を特定できる。なお、端末装置１が携帯電話であれば、携帯電話が通信している基地局から現在の地域を特定できる。また、端末装置１がＧＰＳを備えていれば、このＧＰＳからの情報を利用して、より正確な位置を特定できる。検索装置３は、このように特定した現在の地域の気象現象を判断する。
【００２１】
上記検索装置３では、季節や気象の変化によって生じる生体機能の変化が商品等の需要動向や生活パターンに影響することに着目して、気象の変化、生体機能の変化および需要動向や生活パターンの変化の相関を解析し、アルゴリズム化して、このアルゴリズムを検索エンジンに組み込んだものである。
【００２２】
すなわち、気象の変化に対応して変化する生体機能の仕組みを物理的、科学的に解き明かす生気象学を適用して、リアルタイムの気象情報とその気象によって変化する生体機能の変化の仕組みとの相関関係を解析し、アルゴリズム化する。例えば、小売店や飲食店の来店客、病院の外来における罹病の種類や数、観光やレジャーの行楽客等の需要動向は、気象の変化に応じて変わる。さらに、生気象学的には、ペット、家畜等の動物の生体機能の変化、農産物、建設業、製造業、エネルギ産業等にも気象の変化は影響する。このように気象の変化が生活にかかわる広範囲な事象に影響を与えることから、検索に気象現象の変化を反映させて、気象現象に応じて変化するユーザの要望に対応した情報を優先的に検索する。
【００２３】
ここで、気象現象に基づく需要動向の解析は、本出願人による特開２００４−３２６４１１号公報に開示されている。すなわち、気象要素と生体機能との因果関係に着目し、気象要素が与える影響によって反応する生体機能の変化の状況を、消費者の需要動向の量的変化に置き換えられるように、気象要素とＰＯＳデータ等による商品の売行き、すなわち需要動向との関連から、統計解析手法により解析する。
【００２４】
そのため、検索装置３は、気象情報から消費者の需要動向に影響を与える気象要素を抽出する気象要素抽出手段と、説明変数として気象要素を用い、目的変数を消費者の需要動向として、両者の相関関係に基づいて、気象要素抽出手段より抽出された気象要素から消費者の需要動向を予測する予測手段とを有する。
【００２５】
気象要素は、生体機能に影響を与え、食物や着る物などの需要動向に影響を与える気象要素である。具体的には、地域ごとにおける、寒冷需要となる気温と暑熱需要となる気温との境界である中立気温と気温との差、中立気温と体感気温との差、前日との最高気温の温度差が３℃以上あること、前日との最高気温の温度差が５℃以上あること、日較気温差が８℃以上あること、２４時間以内の気圧変化が１０ｈＰａ以上あること、降水量、降水時刻、日照量、雲量、季節、異常気象、または各要素の継続日数である。これらの複数の気象要素を組み合わせて、上記の予測に用いる。予測手段は、多変量解析によって需要動向を数量的に予測する。上記のように予測した需要動向に基づいて、サイト情報に対する気象現象特性が判断される。
【００２６】
次に、ユーザが情報を検索したいとき、まず端末装置１が検索装置３にアクセスして、キーワード等の検索情報が入力される。検索装置３は、入力された検索情報に基づいてデータベースサーバ５に記憶されているサイト情報を検索する。検索情報に関連するサイト情報を抽出すると、各サイト情報の気象現象特性を導き出す。そして、最新の気象情報を取得して、端末装置１が存在する地域の現在の気象現象を判断する。この気象現象に基づいて抽出されたサイト情報の優先順を決める。気象現象特性が気象現象との関連性が高いほど高い重みが付けられ、サイト情報の優先順は上がる。その検索結果が端末装置１に送信される。
【００２７】
端末装置１では、優先順にしたがってサイト情報が表示される。表示の上位には、現在の気象現象に沿ったサイト情報が表示されることにより、ユーザの要望に近いサイト情報が提供される。
【００２８】
例えば、気象現象が晴れの場合、気象現象特性が日照時間と正相関になる商品やサービスのサイト情報の優先順が上がる。雨の場合、日照時間と負相関になる商品やサービスのサイト情報の優先順が上がる、あるいは降水日に無降水日よりも需要が高くなるサイト情報の優先順が上がる。また、台風や雪のような特異な気象現象の場合、そのときに需要があるサイト情報の優先順が上がる。
【００２９】
上記の検索装置３では、検索により抽出したサイト情報に対して気象情報を関連付けしているが、予め関連付けしたサイト情報を検索するようにしてもよい。すなわち、検索装置３は、ネットワークを通じてウェブサイトからサイト情報を収集し、これらのサイト情報に対する気象現象特性を導き出す。そして、サイト情報と気象現象特性とをデータベースサーバ５に記憶する。サイト情報は定期的に収集され、その都度、気象現象特性を導き出して、データベースサーバに保存する。
【００３０】
端末装置１から検索情報が入力されたとき、検索装置３は、最新の気象情報を取得して、現在の気象現象を判断してから、検索情報および気象現象に基づいてデータベースサーバ５を検索する。そして、抽出されたサイト情報に対して現在の気象現象に基づいて優先順を付ける。
【００３１】
以上のように、リアルタイムに変化する気象現象に応じてユーザが要望する情報も変化するが、この気象現象に基づいてサイト情報の優先順を決めることにより、検索結果をユーザの要望するものに近づけることができる。したがって、ユーザは要望した情報を確実にすばやく手に入れることができ、検索結果に対する満足度が高まる。これによって、ユーザの要望に対して検索精度の高い情報検索システムを構築することができる。
【００３２】
そして、上位に順位付けられたサイト情報が閲覧されることにより、ウェブサイトへの訪問が増え、ウェブサイトの利用率が高くなる。その結果、ウェブサイトの広告効果が高くなり、ウェブサイトからの収入を増大させることが可能となる。
【００３３】
そこで、情報提供装置２において、最新の気象情報を取得して、現在の気象現象を判断したり、あるいは気象現象の変化を予測して、将来の気象現象を判断する。この気象現象に応じて、ウェブサイトの変更を行う。ウェブサイトに掲載する商品を需要が見込まれる商品に変更したり、気象現象に対応する商品が目立つようにウェブサイトのレイアウトを変更する。
【００３４】
これによって、情報提供装置２は、気象現象に応じた適切な情報を提示することができ、サイト情報が検索装置３にヒットされやすくなる。しかも、サイト情報が上位に順位付けられる。したがって、他のウェブサイトとの差別化を図ることができ、自己のウェブサイトに誘導しやすくなり、ウェブサイトの利用率の向上および広告効果の増大を図ることができる。
【００３５】
なお、本発明は、上記実施形態に限定されるものではなく、本発明の範囲内で上記実施形態に多くの修正および変更を加え得ることは勿論である。検索装置は、検索情報に地名が含まれるとき、その地名から地域を特定して、端末装置が存在する地域ではなく、検索される地域の気象現象を判断してもよい。これによって、ユーザが訪問したい地域の情報を検索する場合に、有用な情報を手に入れることができる。
【図面の簡単な説明】
【００３６】
【図１】本発明の情報検索システムの全体構成図
【符号の説明】
【００３７】
１    コマーシャル作成装置
２    コマーシャル決定装置
３    放送装置
４    分析部
５    導出部
６    作成部
７    取得部
８    選択部
１０    気象情報データベース
１２    データサーバ
【図１】
2007122203.tif 000003